(57)【要約】【課題】無線端末が無線アクセスポイントに対して極めて高いセキュリティ性を確保しつつ容易に接続可能とする。【解決手段】無線アクセスポイント２０が、自己の記憶部２４に予め登録されているＳＳＩＤを含むビーコン信号の送信を停止し、無線端末１０が、自己の端末記憶部１２に予め登録されているＳＳＩＤを含むプローブリクエストを送信し、無線アクセスポイント２０が、無線端末１０からのプローブリクエストに応じて、ＳＳＩＤを用いた無線ＬＡＮ通信を許可するためのプローブレスポンスを返送し、無線端末１０が、無線アクセスポイント２０から返送されたプローブレスポンスに応じて、ＳＳＩＤの接続設定情報に基づき無線アクセスポイントと無線ＬＡＮ接続する。【選択図】  図１
2015139032.tif 000002
【特許請求の範囲】
【請求項１】
無線ＬＡＮシステムで用いられる無線アクセスポイントと無線端末とを、ＳＳＩＤを含む接続設定情報に基づいて無線ＬＡＮ接続するための無線ＬＡＮ接続方法であって、
前記無線アクセスポイントが、自己の記憶部に予め登録されている前記ＳＳＩＤを含むビーコン信号の送信を停止するステップと、
前記無線端末が、自己の端末記憶部に予め登録されている前記ＳＳＩＤを含むプローブリクエストを送信するステップと、
前記無線アクセスポイントが、前記無線端末からの前記プローブリクエストに応じて、前記ＳＳＩＤを用いた無線ＬＡＮ通信を許可するためのプローブレスポンスを返送するステップと、
前記無線端末が、前記無線アクセスポイントから返送された前記プローブレスポンスに応じて、前記ＳＳＩＤの接続設定情報に基づき前記無線アクセスポイントと無線ＬＡＮ接続するステップと
を備えることを特徴とする無線ＬＡＮ接続方法。
【請求項２】
請求項１に記載の無線ＬＡＮ接続方法において、
前記無線端末が、前記無線アクセスポイントと無線ＬＡＮ接続した後、前記無線アクセスポイントを介してバックアップサーバと接続し、当該バックアップサーバに保存されているバックアップデータをダウンロードするステップをさらに備えることを特徴とする無線ＬＡＮ接続方法。
【請求項３】
無線アクセスポイントを介して無線ＬＡＮ接続した無線端末を内線電話端末として収容する電話制御装置で用いられ、バックアップサーバに予め保存されているバックアップデータを前記無線端末にダウンロードするためのバックアップデータ・ダウンロード方法であって、
前記無線アクセスポイントが、自己の記憶部に予め登録されている初期設定用ＳＳＩＤを含むビーコン信号の送信を停止するとともに、当該記憶部に予め登録されている通常運用用ＳＳＩＤを含むビーコン信号の送信を開始するステップと、
前記無線端末が、予め自己の端末記憶部に登録されている前記初期設定用ＳＳＩＤを含むプローブリクエストを送信するステップと、
前記無線アクセスポイントが、前記無線端末からの前記プローブリクエストに応じて、前記初期設定用ＳＳＩＤを用いた無線通信を許可するためのプローブレスポンスを返送するステップと、
前記無線端末が、前記無線アクセスポイントから返送された前記プローブレスポンスに応じて、前記初期設定用ＳＳＩＤの接続設定情報に基づき前記無線アクセスポイントと無線ＬＡＮ接続するステップと、
前記無線端末が、前記無線アクセスポイントと無線ＬＡＮ接続した後、前記無線アクセスポイントを介して前記電話制御装置と接続し、当該電話制御装置からバックアップサーバのアドレスを取得するステップと、
前記無線端末が、前記アドレスに基づき前記無線アクセスポイントを介して前記バックアップサーバと接続し、当該バックアップサーバに保存されているバックアップデータをダウンロードするステップと
を備えることを特徴とするバックアップデータ・ダウンロード方法。
【請求項４】
請求項３に記載のバックアップデータ・ダウンロード方法において、
前記無線端末は、前記無線アクセスポイントと無線ＬＡＮ接続した後、前記電話制御装置に代えて当該無線アクセスポイントから前記バックアップサーバのアドレスを取得することを特徴とするバックアップデータ・ダウンロード方法。
【請求項５】
無線アクセスポイントを介して無線ＬＡＮ接続した無線端末を内線電話端末として収容する電話制御装置と、前記無線端末で用いる各種情報をバックアップデータとして保存するバックアップサーバとを備える電話システムであって、
前記無線アクセスポイントは、自己の記憶部に予め登録されている初期設定用ＳＳＩＤを含むビーコン信号の送信を停止するとともに、当該記憶部に予め登録されている通常運用用ＳＳＩＤを含むビーコン信号の送信を開始し、前記無線端末からの前記初期設定用ＳＳＩＤを含むプローブリクエストに応じて、前記初期設定用ＳＳＩＤを用いた無線通信を許可するためのプローブレスポンスを返送し、
前記無線端末は、予め自己の端末記憶部に登録されている前記初期設定用ＳＳＩＤを含むプローブリクエストを送信し、前記無線アクセスポイントから返送された前記プローブレスポンスに応じて、前記初期設定用ＳＳＩＤの接続設定情報に基づき前記無線アクセスポイントと無線ＬＡＮ接続し、この無線ＬＡＮ接続後、前記無線アクセスポイントを介して前記電話制御装置と接続し、当該電話制御装置からバックアップサーバのアドレスを取得し、前記アドレスに基づき前記無線アクセスポイントを介して前記バックアップサーバと接続し、当該バックアップサーバに保存されているバックアップデータをダウンロードする
ことを特徴とする電話システム。
【請求項６】
請求項５に記載の電話システムにおいて、
前記無線端末は、前記無線アクセスポイントと無線ＬＡＮ接続した後、前記電話制御装置に代えて当該無線アクセスポイントから前記バックアップサーバのアドレスを取得することを特徴とする電話システム。
【発明の詳細な説明】
【技術分野】
【０００１】
本発明は、無線ＬＡＮ通信技術に関し、特に無線端末を電話制御装置の電話端末として収容する場合などに用いられて、無線アクセスポイントと無線端末とを接続設定情報に基づいて無線ＬＡＮで接続するための無線ＬＡＮ接続技術、およびこの無線ＬＡＮ接続技術を利用したバックアップデータのダウンロード技術に関する。
【背景技術】
【０００２】
ボタン電話システムやＰＢＸシステムなどの電話システムでは、主装置やＰＢＸの内線電話端末として、電話システム専用のコードレス電話機や一般的なスマートフォンなどの携帯通信端末からなる無線端末を収容する場合がある。このような場合には、電話制御装置と無線アクセスポイントとを有線ＬＡＮ回線で接続するとともに、無線アクセスポイントと無線端末との間を無線ＬＡＮ回線で接続する無線ＬＡＮ通信システムを用いる構成が考えられる。
【０００３】
通常、無線ＬＡＮ通信システムでは、ＳＳＩＤ（Service Set Identifier）と呼ばれる識別子を用いて、無線アクセスポイントさらには無線ＬＡＮ回線を識別するものとなっている。実際の無線ＬＡＮ接続時には、まず、無線端末が自己のＳＳＩＤと一致するＳＳＩＤを含むビーコン（Beacon）を送信している無線アクセスポイントを選択し、その無線アクセスポイントとの間で認証、アソシエーション、および暗号鍵生成を含む無線ＬＡＮ接続処理のための各手順を行った後、得られた鍵情報を用いた暗号化方式に基づき、無線アクセスポイントとの間でデータ通信を開始する。
【０００４】
したがって、無線端末の接続設定時、接続相手となる無線アクセスポイントと一致するＳＳＩＤと暗号化キー（パスワード）との組を含む接続設定情報を、予め設定しておく必要があるが、より高いセキュリティ性を得るため暗号化キーのビット数も増加する傾向にあり、接続設定情報の設定作業が非常に繁雑である。
従来、このような接続設定情報の設定作業を容易とすることを目的として、無線アクセスポイントと無線端末にＷＰＳ（Wi-Fi Protected Setup）規格が導入されつつある（例えば、非特許文献１など参照）。このＷＰＳ規格では、ＰＩＮコード方式とプッシュボタン方式が提案されている。
【先行技術文献】
【非特許文献】
【０００５】
【非特許文献１】「Wi-Fi Protected Setup」, http://ja.wikipedia.org/wiki/Wi-Fi_Protected_Setup
【発明の概要】
【発明が解決しようとする課題】
【０００６】
ＷＰＳ規格で提案されているＰＩＮコード方式とプッシュボタン方式の２つの方式のうち、ＰＩＮコード方式は、無線端末のＰＩＮコードを無線ＡＰに入力する必要があり、従来の設定作業と比較するといくらか容易にはなったものの未だ作業が繁雑である。
一方、プッシュボタン方式は、無線アクセスポイントのボタンを押すだけで、無線端末に対する識別情報の設定を含む一連の接続設定処理が完了するため、設定作業自体は極めて容易である。
【０００７】
しかしながら、ビジネスシーンで用いられる電話システムを考えた場合、無線アクセスポイントは、居室の壁や天井などの高所や配線が張り巡らされた場所など、手が届きにくい場所に取り付けられている場合が多く、また、一ユーザが自分の無線端末の接続設定を行うために、各ユーザで共用している無線アクセスポイントのボタンを押下すること自体が困難であり抵抗感を感じる場合も多い。さらに、当然であるが接続される無線端末がＷＰＳ規格に対応している必要もある。
したがって、電話システムで用いる無線ＬＡＮ通信システムに対して、このようなＷＰＳ規格を適用するには、解決しなければならない多くの問題があり、実際に適用することは難しい。
【０００８】
また、コードレス電話機などの無線端末では、通常使用している無線端末が故障したとき、代替無線端末をスムーズに使用開始するために、ユーザが電話制御装置に接続されているバックアップサーバに対して、無線端末に設定している電話帳、着信音、短縮ダイヤルなどの個別情報や、無線アクセスポイントへの接続時に用いるＳＳＩＤを含む接続設定情報をバックアップしておくことが多い。
【０００９】
しかしながら、バックアップしておいたユーザ情報や接続設定情報を代替無線端末にダウンロードしようとしても、代替無線端末には、バックアップサーバや電話制御装置に接続するための無線アクセスポイントに関する接続設定情報が登録されていないため、代替無線端末が無線アクセスポイントに接続することができない。
よって、無線アクセスポイントに関する接続設定情報をバックアップサーバにバックアップしておいても、結局、バックアップサーバに設定用ＰＣを接続して、無線アクセスポイントに関する接続設定情報を確認し、その接続設定情報を従来と同様に代替無線端末に設定する必要があり、煩雑な設定作業を軽減することはできない。
【００１０】
本発明はこのような課題を解決するためのものであり、無線アクセスポイントとの無線ＬＡＮ接続のために設定の面倒な識別情報を含む接続設定情報を無線端末に操作入力しなくても、無線端末が無線アクセスポイントに対して極めて高いセキュリティ性を確保しつつ容易に接続できる無線ＬＡＮ接続技術、およびこの無線ＬＡＮ接続技術を利用することにより、予めバックアップしておいたバックアップデータを、高いセキュリティ性の下で容易に代替の無線端末にダウンロードすることができ、元の無線端末の使用環境を代替の無線端末で、安全かつ容易に復元することが可能なバックアップデータ・ダウンロード技術を提供することを目的としている。
【課題を解決するための手段】
【００１１】
このような目的を達成するために、本発明にかかる無線ＬＡＮ接続方法は、無線ＬＡＮシステムで用いられる無線アクセスポイントと無線端末とを、ＳＳＩＤを含む接続設定情報に基づいて無線ＬＡＮ接続するための無線ＬＡＮ接続方法であって、前記無線アクセスポイントが、自己の記憶部に予め登録されている前記ＳＳＩＤを含むビーコン信号の送信を停止するステップと、前記無線端末が、自己の端末記憶部に予め登録されている前記ＳＳＩＤを含むプローブリクエストを送信するステップと、前記無線アクセスポイントが、前記無線端末からの前記プローブリクエストに応じて、前記ＳＳＩＤを用いた無線ＬＡＮ通信を許可するためのプローブレスポンスを返送するステップと、前記無線端末が、前記無線アクセスポイントから返送された前記プローブレスポンスに応じて、前記ＳＳＩＤの接続設定情報に基づき前記無線アクセスポイントと無線ＬＡＮ接続するステップとを備えている。
【００１２】
また、本発明にかかる上記無線ＬＡＮ接続方法の他の構成例は、前記無線端末が、前記無線アクセスポイントと無線ＬＡＮ接続した後、前記無線アクセスポイントを介してバックアップサーバと接続し、当該バックアップサーバに保存されているバックアップデータをダウンロードするステップをさらに備えている。
【００１３】
また、本発明にかかるバックアップデータ・ダウンロード方法は、無線アクセスポイントを介して無線ＬＡＮ接続した無線端末を内線電話端末として収容する電話制御装置で用いられ、バックアップサーバに予め保存されているバックアップデータを前記無線端末にダウンロードするためのバックアップデータ・ダウンロード方法であって、前記無線アクセスポイントが、自己の記憶部に予め登録されている初期設定用ＳＳＩＤを含むビーコン信号の送信を停止するとともに、当該記憶部に予め登録されている通常運用用ＳＳＩＤを含むビーコン信号の送信を開始するステップと、前記無線端末が、予め自己の端末記憶部に登録されている前記初期設定用ＳＳＩＤを含むプローブリクエストを送信するステップと、前記無線アクセスポイントが、前記無線端末からの前記プローブリクエストに応じて、前記初期設定用ＳＳＩＤを用いた無線通信を許可するためのプローブレスポンスを返送するステップと、前記無線端末が、前記無線アクセスポイントから返送された前記プローブレスポンスに応じて、前記初期設定用ＳＳＩＤの接続設定情報に基づき前記無線アクセスポイントと無線ＬＡＮ接続するステップと、前記無線端末が、前記無線アクセスポイントと無線ＬＡＮ接続した後、前記無線アクセスポイントを介して前記電話制御装置と接続し、当該電話制御装置からバックアップサーバのアドレスを取得するステップと、前記無線端末が、前記アドレスに基づき前記無線アクセスポイントを介して前記バックアップサーバと接続し、当該バックアップサーバに保存されているバックアップデータをダウンロードするステップとを備えている。
【００１４】
また、本発明にかかる上記バックアップデータ・ダウンロード方法の一構成例は、前記無線端末は、前記無線アクセスポイントと無線ＬＡＮ接続した後、前記電話制御装置に代えて当該無線アクセスポイントから前記バックアップサーバのアドレスを取得するようにしたものである。
【００１５】
また、本発明にかかる電話システムは、無線アクセスポイントを介して無線ＬＡＮ接続した無線端末を内線電話端末として収容する電話制御装置と、前記無線端末で用いる各種情報をバックアップデータとして保存するバックアップサーバとを備える電話システムであって、前記無線アクセスポイントは、自己の記憶部に予め登録されている初期設定用ＳＳＩＤを含むビーコン信号の送信を停止するとともに、当該記憶部に予め登録されている通常運用用ＳＳＩＤを含むビーコン信号の送信を開始し、前記無線端末からの前記初期設定用ＳＳＩＤを含むプローブリクエストに応じて、前記初期設定用ＳＳＩＤを用いた無線通信を許可するためのプローブレスポンスを返送し、前記無線端末は、予め自己の端末記憶部に登録されている前記初期設定用ＳＳＩＤを含むプローブリクエストを送信し、前記無線アクセスポイントから返送された前記プローブレスポンスに応じて、前記初期設定用ＳＳＩＤの接続設定情報に基づき前記無線アクセスポイントと無線ＬＡＮ接続し、この無線ＬＡＮ接続後、前記無線アクセスポイントを介して前記電話制御装置と接続し、当該電話制御装置からバックアップサーバのアドレスを取得し、前記アドレスに基づき前記無線アクセスポイントを介して前記バックアップサーバと接続し、当該バックアップサーバに保存されているバックアップデータをダウンロードするようにしたものである。
【００１６】
また、本発明にかかる上記電話システムの一構成例は、前記無線端末が、前記無線アクセスポイントと無線ＬＡＮ接続した後、前記電話制御装置に代えて当該無線アクセスポイントから前記バックアップサーバのアドレスを取得するようにしたものである。
【発明の効果】
【００１７】
本発明によれば、無線アクセスポイントとの無線ＬＡＮ接続のために設定の面倒な識別情報を含む接続設定情報を無線端末に操作入力しなくても、無線端末が無線アクセスポイントに対して極めて高いセキュリティ性を確保しつつ容易に接続することができ、無線ＬＡＮ接続の接続設定時における作業負担を大幅に軽減することができる。
【図面の簡単な説明】
【００１８】
【図１】第１の実施の形態にかかる無線ＬＡＮシステムおよび電話システムの構成を示すブロック図である。
【図２】無線端末に予め登録されている接続設定情報例である。
【図３】無線アクセスポイントに登録される接続設定情報例である。
【図４】第１の実施の形態にかかる無線ＬＡＮシステムおよび電話システムの初期接続処理を示すシーケンス図である。
【図５】無線端末に登録された接続設定情報例である。
【図６】第２の実施の形態にかかる無線ＬＡＮシステムおよび電話システムの初期接続処理を示すシーケンス図である。
【発明を実施するための形態】
【００１９】
次に、本発明の実施の形態について図面を参照して説明する。
［第１の実施の形態］
まず、図１を参照して、本発明の第１の実施の形態にかかる無線ＬＡＮシステム１およびこの無線ＬＡＮシステム１が適用される電話システム２について説明する。図１は、第１の実施の形態にかかる無線ＬＡＮシステムおよび電話システムの構成を示すブロック図である。
【００２０】
この無線ＬＡＮシステム１は、１つ以上の無線端末１０と、無線ＬＡＮ回線を介して無線端末１０を接続する１つ以上の無線アクセスポイント２０とから構成されている。
電話システム２は、電話回線Ｌ１を介して電話網ＮＷと接続するとともに、有線ＬＡＮ回線からなる通信回線Ｌ２を介して無線アクセスポイント２０および１つ以上の内線電話端末５０と接続する電話制御装置３０と、通信回線Ｌ２を介して電話制御装置３０および無線アクセスポイント２０と接続するバックアップサーバ４０とから構成されている。
【００２１】
なお、本実施の形態において、電話網ＮＷは、ＩＰ電話網、公衆電話網（ＰＳＴＮ）、ＩＳＤＮ電話網など、一般的な電話網であればよい。また、内線電話端末５０は、通信回線Ｌ２ではなく、専用の内線伝送路を介して電話制御装置３０に接続されていてもよい。
【００２２】
本発明は、このような無線ＬＡＮシステム１を電話システム２に適用した形態において、無線端末１０を新規に設置し、または代替の無線端末１０に置換する場合に、これら新たな無線端末１０で用いる接続設定情報や個別情報をバックアップサーバ４０からダウンロードするため、新たな無線端末１０に予め登録されているＳＳＩＤに基づき無線アクセスポイント２０と無線ＬＡＮ接続するようにしたものである。また、この際、無線アクセスポイント２０から当該ＳＳＩＤを含むビーコンの送信を停止しておくようにしたものである。
【００２３】
［無線端末］
次に、図１を参照して、無線ＬＡＮシステム１で用いられる無線端末１０について詳細に説明する。
無線端末１０は、無線ＬＡＮ通信機能を有する、コードレス電話機、スマートフォン、携帯電話などの携帯通信端末からなり、無線ＬＡＮ回線を介して無線アクセスポイント２０と無線ＬＡＮ接続する機能を有している。
この無線端末１０には、主な機能部として、無線制御部１１、端末記憶部１２、および電話機能部１３が設けられている。
【００２４】
無線制御部１１は、無線ＬＡＮ通信用の無線モジュールからなり、自己の端末記憶部１２に予め登録されているＳＳＩＤを含むプローブリクエストを送信する機能と、このプローブリクエスト（Plobe Request）に対して無線アクセスポイント２０から返送されたプローブレスポンス（Plobe Response）に応じて、当該ＳＳＩＤの接続設定情報に基づき無線アクセスポイント２０との間で、当該接続設定情報で指定されている暗号化方式に応じた規定の無線ＬＡＮ接続処理を実行することにより、無線アクセスポイント２０と無線ＬＡＮ接続する機能と、無線ＬＡＮ接続後、無線アクセスポイント２０から当該ＳＳＩＤを含むビーコンを一定時間にわたり受信できなくても無線ＬＡＮ接続を継続する機能とを有している。
【００２５】
また、無線制御部１１は、無線アクセスポイント２０と無線ＬＡＮ接続した後、当該無線アクセスポイント２０を介して電話制御装置３０と接続し、当該電話制御装置３０からバックアップサーバ４０のアドレスを取得する機能と、このアドレスに基づき無線アクセスポイント２０を介してバックアップサーバ４０と接続し、当該バックアップサーバ４０に保存されているバックアップデータをダウンロードする機能と、当該バックアップデータに含まれている接続設定情報を電話システム２の各無線アクセスポイントと接続するための接続設定情報として端末記憶部１２に設定する機能と、当該バックアップデータに含まれている個別情報を電話システム２の内線電話端末として動作する際に用いる個別情報として端末記憶部１２に設定する機能とを有している。
【００２６】
端末記憶部１２は、半導体メモリなどの記憶装置からなり、電話システム２の各無線アクセスポイント２０と無線ＬＡＮ接続するための接続設定情報を記憶する機能と、電話機能部１３で用いる電話帳、着信音、短縮ダイヤルなどの個別情報を記憶する機能とを有している。このうち、接続設定情報は、無線端末１０の工場出荷時や設置工事者が設置工事開始時に、予め設定用ＰＣにより端末記憶部１２に登録するものであり、各無線端末１０に共通して同じ内容の接続設定情報が登録される。
【００２７】
図２は、無線端末に予め登録されている接続設定情報例である。ここでは、ＳＳＩＤごとに、暗号化方式、暗号キー（パスワード）、ビーコン有無などの情報が組として登録されている。例えば、ＳＳＩＤ「ＩＮＩ−ＡＰ」は、初期設定用の接続設定情報であり、暗号化方式「ＷＰＡ２−ＰＳＫ（ＡＥＳ）」、暗号キー「１２３４５６７８」、ビーコン有無「なし」がそれぞれ登録されている。
【００２８】
これら接続設定情報のうち、ＳＳＩＤ、暗号化方式、および暗号キーは、無線アクセスポイント２０との無線ＬＡＮ接続処理における、認証、アソシエーション、および暗号鍵生成の各処理で用いられる。また、ビーコン有無については、無線ＬＡＮ接続後、無線アクセスポイント２０から当該ＳＳＩＤを含むビーコンを一定時間にわたり受信できなくても無線ＬＡＮ接続を継続するか否かの判断に用いられる。なお、無線端末１０が各無線アクセスポイント２０間をハンドオーバーする場合には、無線アクセスポイント２０ごとに別個の接続設定情報が端末記憶部１２に登録される。
【００２９】
電話機能部１３は、無線制御部１１を介して接続された電話制御装置３０との間で、呼制御メッセージや音声データをやり取りすることにより、電話制御装置３０の内線電話端末として動作して音声通話を実現する機能と、端末記憶部１２に登録されている電話帳、着信音、短縮ダイヤルなどの個別情報を用いて、各種の電話サービスを提供する機能とを有している。
【００３０】
［無線アクセスポイント］
次に、図１を参照して、無線ＬＡＮシステム１で用いられる無線アクセスポイント２０について詳細に説明する。
無線アクセスポイント２０は、無線ＬＡＮ通信機能を有する一般的な無線基地局からなり、無線ＬＡＮ回線を介して無線端末１０と無線ＬＡＮ接続する機能を有している。
この無線アクセスポイント２０には、主な機能部として、無線制御部２１、ネットワーク制御部２２、中継処理部２３、および記憶部２４が設けられている。
【００３１】
無線制御部２１は、無線ＬＡＮ通信用の無線モジュールからなり、電源投入時または自己の記憶部２４に登録されている接続設定情報の変更時など、通信開始時に実行される初期設定時、記憶部２４に登録されている接続設定情報のうち、ビーコン要を示す接続設定情報については当該ＳＳＩＤを含むビーコンを送信し、ビーコン不要を示す接続設定情報については当該ＳＳＩＤを含むビーコンの送信を停止する機能とを有している。
【００３２】
また、無線制御部２１は、無線端末１０から送信されたプローブリクエスト（Plobe Request）に応じて、当該プローブリクエストに含まれるＳＳＩＤと、自己の記憶部２４に予め登録されている接続設定情報のＳＳＩＤとを比較する機能と、両ＳＳＩＤの一致に応じて当該ＳＳＩＤを用いた無線ＬＡＮ通信を許可するためのプローブレスポンス（Plobe Response）を返送する機能と、プローブレスポンス送信後、当該ＳＳＩＤの接続設定情報に基づき無線端末１０との間で、当該接続設定情報で指定されている暗号化方式に応じた規定の無線ＬＡＮ接続処理を実行することにより、無線端末１０と無線ＬＡＮ接続する機能とを有している。
【００３３】
ネットワーク制御部２２は、有線ＬＡＮ通信用の通信Ｉ／Ｆ回路からなり、通信回線Ｌ２を介して接続された電話制御装置３０やバックアップサーバ４０との間でデータ通信を行うことにより、各種データを送受信する機能を有している。
中継処理部２３は、ブリッジ機能やルータ機能を有する通信処理回路からなり、無線制御部２１とネットワーク制御部２２との間を中継接続する機能を有している。
【００３４】
記憶部２４は、半導体メモリなどの記憶装置からなり、無線端末１０と無線ＬＡＮ接続するための接続設定情報を記憶する機能を有している。接続設定情報は、無線アクセスポイント２０の工場出荷時や設置工事時あるいはメンテナンス時に、設定用ＰＣにより記憶部２４に登録される。
【００３５】
図３は、無線アクセスポイントに登録される接続設定情報例である。ここでは、ＳＳＩＤごとに、暗号化方式、暗号キー（パスワード）、ビーコン要否、参照可否などの情報が組として登録されている。例えば、ＳＳＩＤ「ＩＮＩ−ＡＰ」は、初期設定用の接続設定情報であり、暗号化方式「ＷＰＡ２−ＰＳＫ（ＡＥＳ）」、暗号キー「１２３４５６７８」、ビーコン要否「不要」、参照可否「不可」がそれぞれ登録されている。また、ＳＳＩＤ「ＴＥＬ−ＡＰ１」は、通常運用用の接続設定情報であり、暗号化方式「ＷＰＡ−ＰＳＫ（ＴＫＩＰ）」、暗号キー「ＡＢＣＤ０００１」、ビーコン要否「要」、参照可否「可」がそれぞれ登録されている。
【００３６】
これら接続設定情報のうち、ＳＳＩＤ、暗号化方式、および暗号キーは、無線端末１０との無線ＬＡＮ接続処理における、認証、アソシエーション、および暗号鍵生成の各処理で用いられる。また、ビーコン要否については、無線アクセスポイント２０の通信開始時に、ビーコン送信の要否判断に用いられる。本実施の形態では、無線端末１０のダウンロード処理を含む初期設定に用いるＳＳＩＤ「ＩＮＩ−ＡＰ」については、ビーコンの送信を停止するため、接続設定情報のビーコン要否には「不要」が設定されている。
【００３７】
これにより、ＳＳＩＤ「ＩＮＩ−ＡＰ」を含むビーコンが無線アクセスポイント２０から送信されなくなるため、第三者に対してＳＳＩＤ「ＩＮＩ−ＡＰ」の存在を隠すことができる。このため、第三者によるビーコンから取得したＳＳＩＤを用いた不正行為を抑制することができ、無線端末１０の無線ＬＡＮ接続処理において極めて高いセキュリティ性を得ることが可能となる。
【００３８】
［第１の実施の形態の動作］
次に、図４を参照して、本実施の形態にかかる無線ＬＡＮシステム１および電話システム２の動作について説明する。図４は、第１の実施の形態にかかる無線ＬＡＮシステムおよび電話システムの初期接続処理を示すシーケンス図である。
ここでは、代替の無線端末１０が無線アクセスポイント２０と無線ＬＡＮ接続した後、バックアップサーバ４０から予めバックアップしてあったバックアップデータをダウンロードする場合を例として説明する。
【００３９】
図４の初期接続処理において、まず、無線アクセスポイント２０の無線制御部２１は、電源投入に応じた通信開始時に実行される初期設定時において、記憶部２４に予め登録されている接続設定情報をそれぞれ読み出し、これら接続設定情報のうち、ビーコン要否が「要」を示す接続設定情報については、当該接続設定情報に設定されているＳＳＩＤを含むビーコンの送信を開始し、ビーコン要否が「不要」を示す接続設定情報については、当該接続設定情報に設定されているＳＳＩＤを含むビーコンの送信を停止する（ステップ１００）。
【００４０】
図３の例では、ＳＳＩＤ「ＩＮＩ−ＡＰ」のビーコン要否が「不要」となっているため、ＳＳＩＤ「ＩＮＩ−ＡＰ」を含むビーコンの送信は停止される。また、ＳＳＩＤ「ＴＥＬ−ＡＰ１」のビーコン要否が「要」となっているため、ＳＳＩＤ「ＴＥＬ−ＡＰ１」を含むビーコンの送信が開始される。
【００４１】
この後、無線端末１０の無線制御部１１は、電源投入に応じて（ステップ１１０）、端末記憶部１２に予め登録されている接続設定情報を読み出し、当該接続設定情報に設定されているＳＳＩＤ「ＩＮＩ−ＡＰ」を含むプローブリクエストを送信する（ステップ１１１）。
無線制御部２１は、無線端末１０から送信されたプローブリクエストに応じて、当該プローブリクエストに含まれるＳＳＩＤ「ＩＮＩ−ＡＰ」を記憶部２４に予め登録されている接続設定情報と比較し、接続設定情報のＳＳＩＤ「ＩＮＩ−ＡＰ」と一致することから、当該ＳＳＩＤを用いた無線ＬＡＮ通信を許可するためのプローブレスポンスを返送する（ステップ１１２）。
【００４２】
無線制御部１１は、無線アクセスポイント２０から返送されたプローブレスポンスに応じて、当該ＳＳＩＤ「ＩＮＩ−ＡＰ」の接続設定情報に基づき無線アクセスポイント２０との間で、当該接続設定情報で指定されている暗号化方式、ここではＷＰＡ２−ＰＳＫ（ＡＥＳ）に応じた規定の無線ＬＡＮ接続処理を実行することにより、無線アクセスポイント２０と無線ＬＡＮ接続する（ステップ１１３）。
【００４３】
この後、無線制御部１１は、無線ＬＡＮ接続した無線アクセスポイント２０を介して電話制御装置３０へ、バックアップサーバ４０のアドレスを要求するためのアドレス要求を送信する（ステップ１２０）。
このアドレス要求に応じて、電話制御装置３０は、内部の記憶部に設定されているバックアップサーバ４０のアドレス（ＩＰアドレス）を含むアドレス応答を、無線アクセスポイント２０を介して無線端末１０へ返送する（ステップ１２１）。
【００４４】
次に、無線制御部１１は、電話制御装置３０からのアドレス応答に含まれるアドレスに基づいて、無線ＬＡＮ接続した無線アクセスポイント２０を介してバックアップサーバ４０へ、ダウンロードデータのダウンロード要求を送信する（ステップ１２２）。
このダウンロード要求に応じて、バックアップサーバ４０は、ダウロード要求で指定されたバックアップデータを読み出し（ステップ１２３）、このバックアップデータを含むダウンロード応答を、無線アクセスポイント２０を介して無線端末１０へ返送する（ステップ１２４）。
【００４５】
続いて、無線制御部１１は、バックアップサーバ４０からのダウンロード応答に含まれているバックアップデータのうちから元の無線端末１０で使用していた接続設定情報を取得し、代替の無線端末１０で使用する新たな接続設定情報として端末記憶部１２へ登録する（ステップ１２５）。
【００４６】
図５は、無線端末に登録された接続設定情報例である。これにより、代替の無線端末１０の端末記憶部１２には、図５に示すように、各無線アクセスポイント２０の接続設定情報が登録され、これ以降、無線端末１０が電話制御装置３０の内線電話端末として動作する場合には、復元された接続設定情報のＳＳＩＤ、例えばＳＳＩＤ「ＴＥＬ−ＡＰ１」やＳＳＩＤ「ＴＥＬ−ＡＰ２」が用いられる。したがって、元の無線端末１０と同様に、代替の無線端末１０が各無線アクセスポイント２０間をハンドオーバーすることができ、広い範囲にわたって代替の無線端末１０で通話することが可能となる。
【００４７】
また、無線制御部１１は、バックアップデータのうちから元の無線端末１０で使用していた、電話帳、着信音、短縮ダイヤルなどの個別情報を取得し、代替の無線端末１０で使用する新たな個別情報として端末記憶部１２へ登録し（ステップ１２６）、一連の初期接続処理を終了する。
このようにして、元の無線端末１０からバックアップサーバ４０にバックアップしておいた接続設定情報および個別情報が、代替の無線端末１０にダウンロードされてリストアされることになり、元の無線端末１０の使用環境が、代替の無線端末１０で復元されることになる。
【００４８】
［第１の実施の形態の効果］
このように、本実施の形態は、無線アクセスポイント２０が、自己の記憶部２４に予め登録されているＳＳＩＤを含むビーコン信号の送信を停止し、無線端末１０が、自己の端末記憶部１２に予め登録されているＳＳＩＤを含むプローブリクエストを送信し、無線アクセスポイント２０が、無線端末１０からのプローブリクエストに応じて、ＳＳＩＤを用いた無線ＬＡＮ通信を許可するためのプローブレスポンスを返送し、無線端末１０が、無線アクセスポイント２０から返送されたプローブレスポンスに応じて、ＳＳＩＤの接続設定情報に基づき無線アクセスポイントと無線ＬＡＮ接続するようにしたものである。
【００４９】
これにより、無線アクセスポイント２０との無線ＬＡＮ接続のために設定の面倒な識別情報を含む接続設定情報を無線端末１０に設定用ＰＣから操作入力しなくても、無線端末１０が無線アクセスポイント２０に対して極めて高いセキュリティ性を確保しつつ容易に接続することができ、無線ＬＡＮ接続の接続設定時における作業負担を大幅に軽減することができる。
【００５０】
また、本実施の形態は、無線端末１０が、無線アクセスポイント２０と無線ＬＡＮ接続した後、無線アクセスポイント２０を介してバックアップサーバ４０と接続し、バックアップサーバ４０に保存されているバックアップデータをダウンロードするようにしたので、予めバックアップサーバ４０にバックアップしておいたバックアップデータを、高いセキュリティ性の下で容易に代替の無線端末１０にダウンロードすることができ、元の無線端末１０の使用環境を代替の無線端末１０で、安全かつ容易に復元することが可能となる。
【００５１】
［第２の実施の形態］
次に、本発明の第２の実施の形態にかかる無線ＬＡＮシステム１およびこの無線ＬＡＮシステム１が適用される電話システム２について説明する。
第１の実施の形態では、バックアップサーバ４０のアドレスを無線端末１０が電話制御装置３０から取得する場合を例として説明した。本実施の形態では、バックアップサーバ４０のアドレスを無線端末１０が無線アクセスポイント２０から取得する場合について説明する。
【００５２】
本実施の形態において、無線端末１０の無線制御部１１は、無線アクセスポイント２０と無線ＬＡＮ接続した後、電話制御装置３０に代えて当該無線アクセスポイント２０からバックアップサーバ４０のアドレスを取得する機能を有している。
また、無線アクセスポイント２０の無線制御部２１は、中継処理部２３およびネットワーク制御部２２を介して電話制御装置３０からバックアップサーバ４０のアドレスを取得する機能を有している。
本実施の形態にかかるその他の構成については、第１の実施の形態と同様であり、ここでの詳細な説明は省略する。
【００５３】
［第２の実施の形態の動作］
次に、図６を参照して、本実施の形態にかかる無線ＬＡＮシステム１および電話システム２の動作について説明する。図６は、第２の実施の形態にかかる無線ＬＡＮシステムおよび電話システムの初期接続処理を示すシーケンス図である。
ここでは、代替の無線端末１０が無線アクセスポイント２０と無線ＬＡＮ接続した後、バックアップサーバ４０から予めバックアップしてあったバックアップデータをダウンロードする場合を例として説明する。なお、無線端末１０に予め登録されている接続設定情報は、前述した図２と同様とし、無線アクセスポイント２０に登録される接続設定情報は、前述した図３と同様とする。
【００５４】
図６の初期接続処理において、まず、無線アクセスポイント２０の無線制御部２１は、電源投入に応じた通信開始時に実行される初期設定時において、記憶部２４に予め登録されている接続設定情報をそれぞれ読み出し、これら接続設定情報のうち、ビーコン要否が「要」を示す接続設定情報については、当該接続設定情報に設定されているＳＳＩＤを含むビーコンの送信を開始し、ビーコン要否が「不要」を示す接続設定情報については、当該接続設定情報に設定されているＳＳＩＤを含むビーコンの送信を停止する（ステップ２００）。
【００５５】
図３の例では、ＳＳＩＤ「ＩＮＩ−ＡＰ」のビーコン要否が「不要」となっているため、ＳＳＩＤ「ＩＮＩ−ＡＰ」を含むビーコンの送信は停止される。また、ＳＳＩＤ「ＴＥＬ−ＡＰ１」のビーコン要否が「要」となっているため、ＳＳＩＤ「ＴＥＬ−ＡＰ１」を含むビーコンの送信が開始される。
【００５６】
続いて、無線制御部２１は、中継処理部２３およびネットワーク制御部２２を介して電話制御装置３０へ、バックアップサーバ４０のアドレスを要求するためのアドレス要求を送信する（ステップ２０１）。
このアドレス要求に応じて、電話制御装置３０は、内部の記憶部に設定されているバックアップサーバ４０のアドレス（ＩＰアドレス）を含むアドレス応答を、無線アクセスポイント２０へ返送する（ステップ２０２）。
無線制御部２１は、ネットワーク制御部２２および中継処理部２３を介して電話制御装置３０からのアドレス応答を受信し、アドレス応答に含まれるバックアップサーバ４０のアドレスを記憶部２４に保存する（ステップ２０３）。
【００５７】
この後、無線端末１０の無線制御部１１は、電源投入に応じて（ステップ２１０）、端末記憶部１２に予め登録されている接続設定情報を読み出し、当該接続設定情報に設定されているＳＳＩＤ「ＩＮＩ−ＡＰ」を含むプローブリクエストを送信する（ステップ２１１）。
無線制御部２１は、無線端末１０から送信されたプローブリクエストに応じて、当該プローブリクエストに含まれるＳＳＩＤ「ＩＮＩ−ＡＰ」を記憶部２４に予め登録されている接続設定情報と比較し、接続設定情報のＳＳＩＤ「ＩＮＩ−ＡＰ」と一致することから、当該ＳＳＩＤ「ＩＮＩ−ＡＰ」を用いた無線ＬＡＮ通信を許可するためのプローブレスポンスを返送する（ステップ２１２）。
【００５８】
無線制御部１１は、無線アクセスポイント２０から返送されたプローブレスポンスに応じて、当該ＳＳＩＤ「ＩＮＩ−ＡＰ」の接続設定情報に基づき無線アクセスポイント２０との間で、当該接続設定情報で指定されている暗号化方式、ここではＷＰＡ２−ＰＳＫ（ＡＥＳ）に応じた規定の無線ＬＡＮ接続処理を実行することにより、無線アクセスポイント２０と無線ＬＡＮ接続する（ステップ２１３）。
【００５９】
この後、無線制御部１１は、無線ＬＡＮ接続した無線アクセスポイント２０へ、バックアップサーバ４０のアドレス要求を送信する（ステップ２２０）。
このアドレス要求に応じて、無線アクセスポイント２０は、内部の記憶部に保存されているバックアップサーバ４０のアドレス（ＩＰアドレス）を含むアドレス応答を、無線端末１０へ返送する（ステップ２２１）。
【００６０】
次に、無線制御部１１は、電話制御装置３０からのアドレス応答に含まれるアドレスに基づいて、無線ＬＡＮ接続した無線アクセスポイント２０を介してバックアップサーバ４０へ、ダウンロードデータのダウンロード要求を送信する（ステップ２２２）。
このダウンロード要求に応じて、バックアップサーバ４０は、ダウロード要求で指定されたバックアップデータを読み出し（ステップ２２３）、このバックアップデータを含むダウンロード応答を、無線アクセスポイント２０を介して無線端末１０へ返送する（ステップ２２４）。
【００６１】
続いて、無線制御部１１は、バックアップサーバ４０からのダウンロード応答に含まれているバックアップデータのうちから元の無線端末１０で使用していた接続設定情報を取得し、代替の無線端末１０で使用する新たな接続設定情報として端末記憶部１２へ登録する（ステップ２２５）。
【００６２】
これにより、代替の無線端末１０の端末記憶部１２には、図５に示すように、各無線アクセスポイント２０の接続設定情報が登録され、これ以降、無線端末１０が電話制御装置３０の内線電話端末として動作する場合には、復元された接続設定情報のＳＳＩＤ、例えばＳＳＩＤ「ＴＥＬ−ＡＰ１」やＳＳＩＤ「ＴＥＬ−ＡＰ２」が用いられる。したがって、元の無線端末１０と同様に、代替の無線端末１０が各無線アクセスポイント２０間をハンドオーバーすることができ、広い範囲にわたって代替の無線端末１０で通話することが可能となる。
【００６３】
また、無線制御部１１は、バックアップデータのうちから元の無線端末１０で使用していた、電話帳、着信音、短縮ダイヤルなどの個別情報を取得し、代替の無線端末１０で使用する新たな個別情報として端末記憶部１２へ登録し（ステップ２２６）、一連の動作を終了する。
このようにして、元の無線端末１０からバックアップサーバ４０にバックアップしておいた接続設定情報および個別情報が、代替の無線端末１０にダウンロードされてリストアされることになり、元の無線端末１０の使用環境が、代替の無線端末１０で復元されることになる。
【００６４】
［第２の実施の形態の効果］
このように、本実施の形態は、無線端末１０の無線制御部１１が、無線アクセスポイント２０と無線ＬＡＮ接続した後、電話制御装置３０に代えて無線アクセスポイント２０からバックアップサーバ４０のアドレスを取得するようにしたものである。
これにより、無線アクセスポイント２０から無線端末１０へバックアップサーバ４０のアドレスが通知されるため、新たな無線端末１０の初期接続処理ごとに無線端末１０から電話制御装置３０へアドレス要求を行う必要がなくなる。このため、電話制御装置３０に対する処理負担を軽減できる。
【００６５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【００６６】
また、各実施の形態では、バックアップサーバ４０からダウンロードしたバックアップデータにより、元の無線端末１０の接続設定情報を代替の無線端末１０で復元した後、無線端末１０が電話制御装置３０の内線電話端末として動作する場合には、復元された接続設定情報のＳＳＩＤを用いる場合について説明したが、初期設定処理に用いたＳＳＩＤ「ＩＮＩ−ＡＰ」を、そのまま電話制御装置３０の内線電話端末として動作する場合にも使用してもよい。また、バックアップデータの接続設定情報を復元せず、初期設定処理に用いたＳＳＩＤ「ＩＮＩ−ＡＰ」を、そのまま電話制御装置３０の内線電話端末として動作するためのＳＳＩＤとして使用してもよい。
【００６７】
また、各実施の形態では、無線端末１０に予め登録されているＳＳＩＤ「ＩＮＩ−ＡＰ」を、バックアップデータのダウンロードに使用する場合を例として説明したが、これに限定されるものではない。
例えば、図４において、ＳＳＩＤ「ＩＮＩ−ＡＰ」を用いて、無線端末１０が無線アクセスポイント２０と接続した後（ステップ１１３）、無線端末１０の無線制御部１１が無線アクセスポイント２０に対してＳＳＩＤを要求するＳＳＩＤ要求を送信し、これに応じて、無線アクセスポイント２０の無線制御部２１が自己の記憶部２４のＳＳＩＤ「ＴＥＬ−ＡＰ１」を含むＳＳＩＤ応答を返送して、新たなＳＳＩＤ「ＴＥＬ−ＡＰ１」を無線端末１０へ提示してもよい。
【００６８】
これにより、無線端末１０がこのＳＳＩＤ応答に含まれるＳＳＩＤ「ＴＥＬ−ＡＰ１」を用いて、ステップ１１１−１１３と同様の処理を実行することにより、新たなＳＳＩＤ「ＴＥＬ−ＡＰ１」を用いた新たな無線ＬＡＮ接続を確立し、これ以降、この新たな無線ＬＡＮ接続を用いてステップ１２０−１２４を実行することができる。
【００６９】
このように、無線端末１０にＳＳＩＤ設定用のＳＳＩＤ「ＩＮＩ−ＡＰ」を予め登録しておき、無線端末１０を無線アクセスポイント２０に対して新規に接続する初期接続処理に、このＳＳＩＤ「ＩＮＩ−ＡＰ」を用いて、実際の運用に用いるＳＳＩＤ「ＴＥＬ−ＡＰ１」を無線アクセスポイント２０から取得することにより、無線アクセスポイント２０との無線ＬＡＮ接続のために設定の面倒な識別情報を含む接続設定情報を無線端末１０に操作入力しなくても、無線端末１０が無線アクセスポイント２０に対して極めて高いセキュリティ性を確保しつつ容易に接続することができ、無線ＬＡＮ接続の接続設定時における作業負担を大幅に軽減することができる
【符号の説明】
【００７０】
１…無線ＬＡＮシステム、２…電話システム、１０…無線端末、１１…無線制御部、１２…端末記憶部、１３…電話機能部、２０…無線アクセスポイント、２１…無線制御部、２２…ネットワーク制御部、２３…中継処理部、２４…記憶部、３０…電話制御装置、４０…バックアップサーバ、５０…内線電話端末、Ｌ１…電話回線、Ｌ２…通信回線、ＮＷ…電話網。
【図１】
2015139032.tif 000003
【図２】
2015139032.tif 000004
【図３】
2015139032.tif 000005
【図４】
2015139032.tif 000006
【図５】
2015139032.tif 000007
【図６】
2015139032.tif 000008